(57)【要約】      （修正有）【課題】美的な面と照明との二つの面を同時に満たす照明装置を得る。【解決手段】該装置は第１光源を配置した第１ハウジングを取り付けた支持構造物を具えている。該装置は、少なくとも２つのリフレクターを有する反射部を具えている。支持構造物へ取り付けられた反射部と第１ハウジングは離隔しており、第１光源からの光は所望の位置へ向けられる。もう一つの方法として、該装置は第１光源を配置した第１ハウジングと第１光源を取り付けた支持構造物を具えている。該装置は第２光源を配置した第２ハウジングを具えている。第２ハウジングは支持構造物へ取り付けられ、第１ハウジングとは離隔している。該装置は、第２ハウジングに配置されて第１光源に向けられた第１リフレクターを有しており、それによって第１光源から放射された光は、第１リフレクターによって反射される。【選択図】図２
2004335469.tif 000002
【特許請求の範囲】
【請求項１】
第１光源と、該第１光源が配置された第１ハウジングと、第１ハウジングが取り付けられた支持構造物と、少なくとも２つのリフレクターを有する反射部から成り、該反射部は、支持構造物へ取り付けられ、第１ハウジングからは離隔しており、第１光源からの光は所望の位置へ向けられる、照明装置。
【請求項２】
反射部のリフレクターは反射部において可動であり、リフレクターを動かし、リフレクターにより光を反射して、光を所望の位置へ向ける、請求項１に記載の装置。
【請求項３】
第１ハウジングは曲線状又は菱面体の断面を有する、請求項２に記載の装置。
【請求項４】
第１ハウジングは、反射部から反射された光を反射するハウジングリフレクターを具えた、請求項３に記載の装置。
【請求項５】
支持構造物に取り付けられた第２のリフレクターを有し、光源及びハウジングリフレクターの光を反射し、反射部は、第２のリフレクターと第１光源の間に配置されている、請求項４に記載の装置。
【請求項６】
支持構造物は第１ハウジング中へ配置され、第１光源が光を発する方向とは反対の方向へ光を発する第２光源とハウジングへ隣接して配置され、第２光源からの光を反射するように配置された底部リフレクターとを具えた、請求項５に記載の装置。
【請求項７】
反射部のリフレクターは電動式である、請求項６に記載の装置。
【請求項８】
第１光源と、第１光源が配置されている第１ハウジングと、第１光源が取り付けられた支持構造物と、第２光源と、第２光源が配置されている第２ハウジングであって、第１ハウジングとは離隔して支持構造物へ取り付けられており、第２ハウジングへ配置され第１光源に対向しており、第１光源から放射される光を反射する第１リフレクターと、から成る照明装置。
【請求項９】
第１リフレクターは可動である、請求項８に記載の装置。
【請求項１０】
第２ハウジングへ配置され第１光源に対向している第２リフレクターを少なくとも具え、第１光源から放射された光は第２リフレクターにより反射される、請求項９に記載の装置。
【請求項１１】
第１ハウジングとは離隔しており、第２ハウジングに隣接する支持構造物へ取り付けられた第３ハウジングと、該第３ハウジング中へ配置された第３光源と、第１光源から放射する光は第２リフレクターにより反射される様に第３ハウジングへ配置され第１光源に向けられた第２リフレクターを具えた、請求項１０に記載の装置。
【請求項１２】
支持構造物に取り付けられた第３リフレクターを有しており、該第３リフレクターは、第２光源から離れていて、第２光源から発せられた光を反射する様に配置されている、請求項１１に記載の装置。
【請求項１３】
支持構造物に取り付けられた第４リフレクターを有し、該第４リフレクターは、第３リフレクターから離れていて、第２光源から発せられた光を第２光源と第４リフレクターとの間で、第３リフレクターによって反射する様に配置されている、請求項１２に記載の装置。
【請求項１４】
第１リフレクターは電動式である、請求項１３に記載の装置。
【請求項１５】
第２及び第３リフレクターは電動式である、請求項１４に記載の装置。
【請求項１６】
中心軸及び開口部を有するハウジングと、ハウジング中に配置された光源と、ハウジング中に配置され開口部を通った光源からの光を反射するリフレクターとから成る照明装置。
【請求項１７】
光源は、中心軸の周りに対称的に配置された複数のランプを含んでおり、リフレクターはランプと一直線に配置され、各ランプから発せられハウジングの開口を通った光を反射する、請求項１６に記載の装置。
【請求項１８】
内部に第１光源が配置されている第１ハウジングを支持構造物へ取り付け、
少なくとも２つのリフレクターを有する反射部を支持構造物へ、且つ第１ハウジングから間隔をあけて取り付け、
これによって第１光源からの光は、リフレクターによって所望の位置へ向けられる、照明方法。
【請求項１９】
内部に第１光源が配置されている第１ハウジングを支持構造物へ取り付け、
内部に第２光源が配置されている第２ハウジングを支持構造物へ、且つ第１ハウジングから間隔をあけて取り付け、
第１リフレクターを第２ハウジングへ、第１光源と対向して配置し、
それによって第１光源から発せられた光は第１リフレクターに反射される、照明方法。
【発明の詳細な説明】
【技術分野】
【０００１】
本発明は、リフレクター付き照明に関するものである。さらに具体的に述べると、本発明は、リフレクター付き照明に関するものであって、該リフレクターは、光源を有するハウジングに連結されており、光源はリフレクターから間隔をあけて配置されている。
【背景技術】
【０００２】
照明は、現在では２つの性質を持っている。美的主張をするというだけでなく、場所を照らすという２つの役割を提供することができる。さらに、目に最も快適であると一般的に理解されている照明の形態は、反射を通して得られるような間接照明である。本発明は、まさにそのような種類の照明であり、美的主張をし、また間接照明を提供することができる。
【発明の開示】
【０００３】
＜発明の要旨＞
本発明は、照明装置に関するものである。この装置は、第１光源を具えている。この装置は、第１光源が配置された第１ハウジングを具えている。この装置は、第１ハウジングが取り付けられた支持構造物を具えている。この装置は、少なくとも２つのリフレクターをもつ反射部を具えている。反射部は、支持構造物に取り付けられ、第１光源からの光を所望場所に向けるように、第１ハウジングと間隔をあけて取り付けられている。
【０００４】
本発明は、照明装置に関するものである。この装置は、第１光源を具えている。この装置は、第１光源が配置された第１ハウジングを具えている。この装置は、第１光源が取り付けられた支持構造物を具えている。この装置は、第２光源を具えている。この装置は、第２光源が配置された第２ハウジングを具えている。第２ハウジングは、支持構造物に取り付けられ、第１ハウジングから間隔をあけて取り付けられている。本発明は、第１光源に対向して第２ハウジングに取り付けられた第１リフレクターを具えており、第１光源からの光は、第１リフレクターによって反射される。
【実施例】
【０００５】
図面を参照するに際して、同じ参照符号は、複数の図を通じて、類似もしくは同一の部分を示しており、特に図１には、照明装置(10)を図示している。装置(10)は、第１光源(12)を具えている。装置(10)は、第１光源(12)が配置されている第１ハウジング(14)を具えている。装置(10)は、第１ハウジング(14)が取り付けられた支持構造物(16)を具えている。装置(10)は、少なくとも２つのリフレクター(20)をもつ反射部(18)を具えている。反射部(18)は、支持構造物(16)に取り付けられ、第１光源(12)からの光を所望場所に向けるように第１ハウジング(14)とは間隔をあけて取り付けられている。
【０００６】
反射部(18)にあるリフレクター(20)は、反射部(18)が可動であることが望ましい。それによって、光は、リフレクター(20)によって反射させられ、所望場所に向けられる。第１ハウジング(14)は、断面が曲線状もしくは、斜方６面体(rhombohedron)であることが望ましい。第１ハウジング(14)は、反射部(18)から反射した光を反射するハウジングリフレクター(22)を具えていることが望ましい。装置(10)は、支持構造物(16)に取り付けられ、光源とハウジングリフレクター(22)からの光を反射する第２リフレクター(24)を有することが望ましい。反射部(18)は、第２リフレクター(24)と第１光源(12)との間に配置される。
【０００７】
支持構造物(16)は、第１ハウジング(14)に配置された第２光源(26)を具えて、第１光源(12)が発する光の方向とは反対の方向に光を発することが望ましい。また、該ハウジングに隣接して配置され、第２光源(26)からの光を反射するように位置決めされた底部リフレクター(28)を具えていることが望ましい。反射部(18)のリフレクター(20)は、電動であるほうが望ましい。
【０００８】
本発明は、照明装置(10)に関するものである。装置(10)は、第１光源(12)を具えている。装置(10)は、第１光源(12)が配置されている第１ハウジング(14)を具えている。装置(10)は、第１光源(12)が取り付けられた支持構造物(16)を具えている。装置(10)は、第２光源(26)を具えている。装置(10)は、第２光源(26)が配置されている第２ハウジング(30)を具えている。第２ハウジング(30)は、支持構造物(16)に取り付けられ、第１ハウジング(14)とは間隔をあけて取り付けられている。装置(10)は、第１光源(12)に対向して第２ハウジング(30)に取り付けられた第１リフレクター(32)を具えており、第１光源(12)からの光は、第１リフレクター(32)によって反射される。
【０００９】
第１リフレクター(32)は、可動であることが望ましい。装置(10)は、第１光源(12)に対向して第２ハウジング(30)に取り付けられた第２リフレクター(34)を少なくとも１つ具えていることが望ましく、第１光源(12)からの光は、第２リフレクター(34)によって反射される。装置(10)は、第２ハウジング(30)に隣接した支持構造物(16)に取り付けられ、第１ハウジング(14)から間隔をあけて取り付けられている第３ハウジングを含んでいることが望ましい。該第３ハウジング中に配置された第３光源と第１光源(12)に対向して第３ハウジングに取り付けられた第２リフレクター(34)を具え、第１光源(12)からの光は、第２リフレクター(34)によって反射される。
【００１０】
装置(10)は、支持構造物(16)に取り付けられ、第２光源(26)とは間隔をあけて取り付けられ、第２光源(26)から発する光を反射するように位置決めされた第３リフレクター(36)を有することが望ましい。装置(10)は、支持構造物(16)に取り付けられた第４リフレクター(38)を有することが望ましく、該第４リフレクター(38)は、第３リフレクター(36)から間隔をあけて取り付けられていて、第２光源(26)からの光を反射するように位置決めされ、第２光源(26)と第４リフレクター(38)との間に第３リフレクター(36)を配備している。第１リフレクター(32)は、電動であることが望ましい。第２及び第３リフレクター(34)(36)は、電動であることが望ましい。
【００１１】
本発明の実施に際しては、第１実施例において、照明装置(10)は、支持構造物(16)に取り付けられているミラーモジュール(68)とライトモジュール(68)との組合せで作られる。各ライトモジュール(68)は、内部にランプを配置したハウジングを含み、該ハウジングの頂部に開口部を具えている。その開口部を通ってハウジングから、ランプの光が発せられる。また、ライトモジュール(68)は、ハウジング中にてその底部に配置された鏡を具えることも可能である。ミラーモジュール(68)は、内部に鏡を取り付けたハウジングを具えている。電気配線(48)は、支持構造物(16)を通って、各ハウジングモジュール(68)中のランプまで通すことができるので、外からは見えない。
【００１２】
ライトモジュール(68)とミラーモジュール(68)は、所望する任意の配列で配置することができる。例えば、図２及び図３に示されるように、ライトモジュール(68)の第１組が設けられており、それは２つの隣接したライトモジュール(68)を互いに並べて、支持構造物(16)の底部の近くに具えている。またライトモジュール(68)の第２組が設けられており、これは２つのライトモジュール(68)を互いに並べて、第１組のライトモジュール(68)の上へ具えている。ライトモジュール(68)の第１組上方に配置されたライトモジュール(68)の第２組は、ライトモジュール(68)の第１組からの光を反射する鏡を具えている。ライトモジュール(68)の第２組上方にそれぞれ並んで支持構造物(16)に、２つのミラーモジュール(68)が取り付けられている。ミラーモジュール(68)の鏡は、ライトモジュール(68)の第２組からの光を反射する。
【００１３】
支持構造物(16)の他の側に、上述のライトモジュール(68)より大きな２つのライトモジュール(68)がある。その中の１つのライトモジュール(68)は、もう一方のライトモジュール(68)の上方にて支持構造物(16)に配置され、支持構造物(16)に取り付けられた下方のライトモジュール(68)からの光を反射するように、その底部に鏡を有している。支持構造物(16)の他の側にある２つのライトモジュール(68)のうち高位置側のライトモジュール(68)の上方に、高位置側のライトモジュール(68)からの光を反射するミラーモジュール(68)が支持構造物(16)に取り付けられている。ライトモジュール(68)とミラーモジュール(68)の各々は、互いに間隔をあけて配置されており、２つのミラーモジュール(68)とライトモジュール(68)の第１及び第２組と同様に、支持構造物(16)に取り付けらている。
【００１４】
図４及び図５は、支持構造物(16)に取り付けられたライトモジュール(68)とミラーモジュール(68)の他の実施例を示している。図４及び図５が示すように、２つのライトモジュール(68)はそれぞれ並んで取り付けられているが、支持構造物(16)の両側に対向して取り付けられている。２つのライトモジュール(68)の上方に、２つのライトモジュール(68)からの光を反射する２つの電動ミラーモジュール(68)が同様の構造で取り付けられている。ミラーモジュール(68)は、ライトモジュール(68)とは間隔をあけて配置されている。ミラーモジュール(68)は、リモートコントロールによって操作され、各ミラーモジュール(68)は独立して、２つのライトモジュール(68)が発する光を所望の角度で反射するように配置できる。
【００１５】
他の実施例は、１．支持構造物(16)、２．１つ以上の光発生要素(light-generating elements)、３．１つ以上の鏡部、の３種類の構成要素をもったモジュラーシステムに基づくものである。
上記実施例を図示するため、同じ高さ（約２ｍ）で４つの異なる取付具を示した。
【００１６】
基本的な発想は、床もしくは壁に取り付けることができる支持なしで立つ構造物を作ることである。またこの構造物は、ライトモジュール(68)まで通る配線(48)を含んでいる。構造物は、２つのＴ型の中空要素（押出型材）（図６参照）から成り、強度や美的に必要であれば、互いにつなぐことも可能である。この接続要素は、Ｘ型であるが、実際はどのような形のものでもよい。
【００１７】
この構造物上には、必要なギアを具える１つ以上のランプをそれぞれ含む照明要素が取り付けられている。また、モジュール(68)の底部に可動式の鏡を付加することも可能である。この場合、各頂部に２つ以上の照明要素を積み重ねる（stack）ことができ、頂部のモジュール(68)は、下方のモジュール(68)の光を反射する。
【００１８】
鏡部は、外観的にはライトモジュール(68)と同一線上にあって調和している。それらは、反射した光の方向をコントロールするために可動式の鏡を含んでいる。大きな鏡部は、１つの大きな鏡の代わりに、４つの独立した可動式の小形の鏡を含むことができるであろう。または、鏡部は、可動でないＶ型または凸状のリフレクターを含むこともできるであろう。しかし、どんな鏡部が使われようとも、リフレクター(20)は小容積の中に隠れているので、取付具は常に同じように見える。
【００１９】
図は、ＣＤＭ−ＰＡＲ３０モジュール(68)(外形サイズ  120×120)とＭＲ１６モジュール(68)(60×60)の組合せを示している。機能的観点から見ると、広いエリアを照らすために、放電源(the discharge sources)を使用したり、アクセントを付すために、細い光線のＭＲ１６白熱灯を使用するのも面白いだろう。また、もちろん他の光源、例えば、幅広の長方形容積に納まったコンパクトな蛍光灯を使用することもできる。
【００２０】
２つのＴ型構造物要素間の距離は、最大のライトモジュール(68)によって規定される。そのため蛍光灯の場合、取付具は、幅広くなるだろうが、小形の白熱灯（例えばＭＲ１６）だけが使われているときは、個人の庭で使うことが出来るような小形の取付具とすることも可能である。
【００２１】
主な特徴をまとめると、装置(10)は、柔軟性に富み、技術的かつモジュールのコンセプトであり、顧客のニーズにより製品を注文に合わせるよう設計される。
【００２２】
もうひとつの例は、全く異なる角度から複数光源／複数リフレクター(multiple sources／multiple reflector)の発想である。この例において、光源は常に取付具の頂部にあり、その光は、同じ高さにある複数のリフレクター(20)によって反射される。この発想は、光源からの光を、小さい中心部(nucleus)即ちホットスポットと、周囲の残部光線即ち減衰部という２つの部分に分けるということである。
【００２３】
これを示すため、１つの単一デザインが作られ、２つの異なる光源(再び記すとＣＤＭ−ＰＡＲ３０、又は４個のＭＲ１６）が設けられている。一部破断した図７及び図８をみると、これらの光源が取付具に位置決めされている。
【００２４】
両装置は、光源からの光をすべて捕らえ、周りに弱い全般照明を供する非光沢の材質からなる大きなスクリーンを有している。このスクリーンは、この光の方向を向けるために前後に傾けることができる。向きの角度を大きくするために、スクリーン全体に加えて、光源もまた、該光源によって約１５度から３０度の角度を傾けることができる。スクリーンから光源まで伸びている支持構造物を連結することも可能である。それによって、スクリーンと光源は一列になってその関係を保った侭で動く。一部破断した図が示すように、ＭＲ１６バージョンはこのように傾けられている。一方ＰＡＲ３０は、あらゆる方向に全般照明を同程度供するために、水平型のスクリーンを有している。大きなスクリーン内に、単独で向きを定めることのできる、非常に光る反射物質（例えば、アルミニウムやダイクロイックガラス(dichroic glass)）でできた１つ以上の小さな鏡を具えることも可能である。大きなスクリーンの孔部に取り付けられた、小形の各リフレクターは、夫々独自で向きを定めるメカニズムを具えている。小形の鏡の機能は、光線の中心部(nucleus)のみ捕らえ、周囲にある程度細かいアクセントを付けることである。
【００２５】
４個のＭＲ１６の場合は、小形の鏡は夫々、１つの特定した白熱灯の光を反射する。（白熱灯は、わずかに凸状のソケットホルダーに据え付けられているから、該光線は、スクリーンの小形の鏡の中心に合わせて分かれる。ＣＤＭ−ＰＡＲ３０の場合は、光線の中心部(nucleus)は、４部分に分かれ、それぞれ１個の鏡によって捕らえられる。もちろん、両方の場合において、４個の鏡に代えてスクリーンの中央に（大きい直径の）ただ１つの鏡を具えることも可能である。
【００２６】
主な特徴をまとめると、装置(10)は、より一層建築学的に設計された範囲の備品であって、どの場合でも常に２種類の光（１種類の光源と同等のものと、１つの単一の白熱灯と同等のもの）を提供する：両者は一般照明とアクセント用照明である。実施例は、支持なしで立つポール型の取付具だけを示しているが、その実施例として比較的小形の壁掛けの取付具にも応用することが可能である。この主題には、図９に示されるように薄いひさしを用いて個々の光源に対して小形の鏡を取り付けることにより、バリエーションが可能となる。
【００２７】
図１０及び図１１で示される実施例において、照明装置(10)は、２つの異なる光源を具え、２つの全く種類の異なる照明を提供している。頂部には、強力なＡＲ１１１があって（非常に光る鏡を具え）照明されたアクセントまたは（つやのないリフレクター(20)を具え）広く優しく照らされた範囲がある。頂部リフレクター(21)は、回転でき、光線はどんな方向にも向けられる。これは、取付具の外観を変えずになされる。リフレクター(20)は、このため円筒形のハウジング中に配置される。ＡＲ１１１は、そのハウジングの奥に配置され、内部は黒く塗られており、輝くのを防止している。
【００２８】
照明装置(10)の底部には、第２光源(26)（例えば、ＰＡＲ２０）がある。この光源からの光は、まさにその筒の底に配置されている鏡によって反射されるので、該光は地面を覆い照らし、例えば、その美しい風合いを強調するであろう。または、歩く場所を示すこともできる。埃からリフレクター(20)を保護するために、それは円筒形のガラスの筒で覆われている。
【００２９】
このデザインの興味深い点は、別の方法では達することが難しい場所に、リフレクター(20)を使って、光が達することを可能にする点である。もし反射鏡の代わりにランプで直接表面を覆い照らそうとすれば、１．もっと大きな直径のポールが必要となり、２．見た目の快適さを確保するという問題、３．安全で防水された方法でランプを接続するという問題が生じることになる。
【００３０】
図１２には、ミラーハウジングと、該ミラーハウジング中に嵌められた取付箱(42)と、該取付箱(42)中に配置された電動要素(54)とを含む電動式ののミラーモジュール(68)が示されている。例えば、ミラーハウジングは支持構造物(16)に取り付けられる。取付箱(42)は、ピンやネジでハウジングに取り付けられる。電動要素(54)は、その基板(44)によって取付箱(44)へ取り付けられる。該基板(44)は、電動要素(54)の回転中心であるミラーモジュール(68)の中心軸(50)にねじ止めし、軸(50)によって取付箱(42)へ連結される。電動要素(54)は、基板(44)に取り付けられ、基板(44)のスロット(56)を通って延びる電動ホイール(62)を具えている。電動ホイール(62)は、取付箱(42)上のあらかじめ決められた経路(52)に沿って動き、取付箱には、＋９０度のところに停止点(40)と−９０度のところに停止点(40)があって、電動ホイール(62)の動きの範囲を規制し、それによって電動要素(54)が軸(50)の周りでの回転方向を規制する。
【００３１】
図１３は、電動要素(54)がその制御用と電力用の配線(48)をどのように受けているかを示している。第１モーター(58)と鏡部の第２モーター(64)からの配線(48)は、取付ブロックを通り、ハウジングを通り、支持構造物(16)へ伸びている。
【００３２】
図１４は、さらに詳細に鏡部を示している。基板(44)に取り付けられている第１モーター(58)は、シリンダー(60)を有しており、該シリンダーには、上述のように基板(44)のスロット(56)へ延びる電動ホイール(62)が取り付けられている。第１モーター(58)は、回転可能な、又は＋９０度と−９０度の間で、左−右の首振りをする。基板(44)に取り付けられた第２モーター(64)は、０度から３３度までの上下の動きをベルト駆動のホイール(62)に提供する。ステム(66)に取り付けられている鏡の取付板(46)は、基板(44)から伸び、該取付板(46)へリフレクター(20)が取り付けられている。第１及び第２モーター(58)(64)は、それ自体は技術的によく知られているものである。独特であるのは、第１及び第２モーター(58)(64)がリフレクター(20)要素に関してどのように使われているかということである。例えば、３０度に設定されたミラーセットは、鏡の取付板(46)に取り付けられた鏡からの反射光を６０度にする。図１５は、組み立てられた電動のミラーモジュール(68)を下から示している。
【００３３】
図１７ａ、１７ｂ、１７ｃで示される別の実施例において、光源は、ハウジング中に配置されており、該ハウジング前方に間隔をあけて第１リフレクター(32)が配置され、光源からの光は、第１リフレクター(32)によって反射される。また、第２リフレクター(34)は、ハウジングの前方で第１リフレクター(32)の後ろに配置されている。第１リフレクター(32)を通り過ぎる光は、第２リフレクター(34)によって反射される。さらに、所望であれば、第３リフレクター(36)も、中央に孔のあるハウジングの内径の縁に沿って配置することができ、光源からの光は、該孔を通り、第１及び第２リフレクター(32)(34)へ発せられる。第１及び第２リフレクター(32)(34)にて反射され、ハウジングへ戻ってくる光は、第３リフレクター(36)によって反射され、第３リフレクター(36)がどのような角度であるかによって、第１及び第２リフレクター(32)(34)のどちらかに戻る。さらに、第１リフレクター(32)の後ろに、第４，第５，第６と、さらなるリフレクター(20)をいくつでも配置でき、第２リフレクター(34)から第１リフレクター(32)の後ろへ向けて反射した光は、第１リフレクター(32)の後方のリフレクター(20)によって、所望の角度で第２リフレクター(34)の方へ反射され、それから第２リフレクター(34)によって外方に反射される。このように、光がダイアモンドの中で反射するのと同じ工合に複数の反射が実現できる。所望であれば、第１リフレクター(32)は、１つ以上の開口部を具えて、光が直に第１リフレクター(32)を通過することを可能にする。
【００３４】
モジュール(68)は、様々な形状のバリエージョンをとることができるが、簡単に交換できるように標準的な形状と形式からなる。図１８乃至図２９は、それぞれ、底部リフレクター(28)のみを有するモジュール(68)、頂部ランプ(13)と底部リフレクター(28)を有するもの、頂部ランプ(13)と底部ランプ(15)を有するもの、頂部リフレクター(21)と底部ランプ(15)を有するもの、頂部リフレクター(21)と底部リフレクター(28)を有するもの、頂部リフレクター(21)と底部リフレクター(28)があり下向きのサイドリフレクター(23)を有するもの、頂部ランプ(13)と底部ランプ(15)がありサイドランプリフレクター(25)を有するもの、底部ランプ(15)を有するもの、頂部ランプ(13)を有するもの、頂部リフレクター(21)と底部リフレクター(28)があり下向きのサイドランプ(17)を有するもの、頂部リフレクター(21)と底部リフレクター(28)があり上向きのサイドランプ(17)を有するもの、頂部リフレクター(21)と底部リフレクター(28)があり上向きのサイドリフレクター(23)を有するものを示している。注目すべきは、図２３、図２４、図２９において、上向きまたは下向きのサイドリフレクター(23)があるが、各リフレクター(23)を上から又は下から照らす光の反射を供するために、リフレクター(23)の両側に反射面があることである。
【００３５】
図３０乃至図３２は、ランプを伴った異なる高さの３つの円形のハウジングの斜面図、正面図及び平面図をそれぞれ示したものである。図３３乃至図３５は、４つのランプと４つのリフレクター(20)をもつ単一の円形のハウジングの斜面図、正面図及び平面図を示したものである。図３６乃至図３８は、高さが様々な３つの円形ハウジングのの３つの斜面図、正面図及び平面図を示したものであって、各ハウジングはランプを有し、３つの調整可能なリフレクター(20)を持つ単一の反射部(18)を具えている。図３９乃至図４１は、３つの円形のハウジングの斜面図、正面図及び平面図を示したものであって、各ハウジングはランプと３つのリフレクター(20)を有し、各ハウジングの上方に配置された１つのリフレクターを具える。図４２乃至図４４は、高さが様々な３つの矩形のハウジングの斜面図、正面図及び平面図を示したものであって、各ハウジングはランプと３つの調整可能なリフレクター(20)を持つ単一の反射部(18)を有し、その上方に配置されたリフレクターを持つ各ハウジングを具える。
【００３６】
図４５から５０に示すとおり、１つ以上の光源を具えたリフレクターを使用する別の構成では、ドラム(61)を利用する。第１実施例において、ドラム(61)は、天井、床壁又は床に取り付けられ、複数のランプを具えたハウジング(14)で構成され、該ランプは望ましくは、ハウジング(14)の中心軸へ対称的に配置され、放射状に外側へ発光する。注目すべきは、光源(12)を具えた構成は、所望するあらゆる照明効果を得るために使用できる。別の実例では、ランプ(12)はドラム(61)へ非対称的に配置できる。
【００３７】
リフレクターは、各ランプの正面に、所望の角度で、配置され、ドラム(61)のハウジングの内部に取り付けられている。ドラム(61)のランプ(12)から放射された光は、リフレクター(20)へ当たり、ハウジング(14)の開口部を通って、ランプ(12)に対するリフレクターの角度に応じて、ドラム(61)の外側へ所望の方向へ反射する。もし所望であれば、前述の通り、各リフレクター(20)は電動可能である。ドラム(61)が取り付けられた室内にいる人の視点では、人が見るのは、開口部から放射された光を具えたドラム(61)の開口部が全てである。
【００３８】
ドラム(61)を具えた別の実施例においては、ハウジング(14)の中心軸に配置した中心光源がある。管(63)の末端に開口部を有する内部発光管(63)が、中心軸から外側へ放射状に光を放射し、又は、リフレクターが発光管(63)を伝搬した光を反射し、ハウジング(14)の底部の開口部を通って放射する。管(63)に関しては、ハウジングの側面内側にて末端に開口部を有し、リフレクターは管と一直線上に取り付けられ、室内の所望する場所へ光を反射する。所望であれば、前述の通り、リフレクターは電動可能である。発光管(63)は共通の中心位置を有し、その位置から中心軸の光を各発光管(63)へ供給する。
【００３９】
別の実施例において、図４９及び図５０で示したごとく、前述のとおり、ドラム(61)は内部管(63)の代わりに外部発光管(63)を具えている。この別の実施例について、発光管(63)の末端はハウジング側面を越えて延び、内部リフレクターを具えた何れの管も、管の末端に内部リフレクター(20)を取り付けている。ハウジング側面に開口部を有す内部発光管(63)のように、この別の実施例においては、発光管(63)の末端の開口部の正面にリフレクターを取り付けて、室内の所望の位置へ発光管(63)から放射される光を反射する。これとは別に、注目すべきは、このドラム(61)は屋外の芝生や壁や天井に用いて、所望の照明効果を得ることができることである。
【００４０】
光源とリフレクターは、支持構造物によって接続されている必要はない。それらは別々の壁や天井や床に取り付けるが一直線に配置されておれば、光源から放射された光は、リフレクターにより反射される。図５１は、第１壁へ取り付けられた第１ハウジングの第１光源(12)は光を放射し、それは、天井へ取り付けられた第１リフレクター(20)から、第２壁に取り付けられた第２リフレクターへ反射することを示している。図５２は、同じく第１及び第２光源を有する第１及び第２ハウジングは、それぞれ、第１壁へ取り付けられたリフレクター(20)及び天井に取り付けられたリフレクター(20)へ光を放射し、第２壁に取り付けられた第３リフレクター(20)へ光を反射することを示している。図５３は、２つの光源は同じハウジングへ配置され、天井には増設したリフレクターを有する以外は、図５２と同様の関係を示している。
【００４１】
注目すべきは、ランプも電動可能なことである。電動式ランプを十分に説明するため、米国特許出願第１０／１２３７９８号を参照して戴きたい。これを引用することをもって本願の内容とする。又は、ランプ及びリフレクターは、それらから伸びているアームを有し、ランプ又はリフレクターは回転可能支持構造物上に取り付けられている。このように、ランプ又はリフレクターは、アームをつかんで手動で動かすことができ、ランプ又はリフレクターを所望の位置へ動かす。更に、ねじは、回転可能支持構造物に対してしっかりと取り付けた場合、ハウジング表面から回転可能支持構造物へ延すことができる。ねじで回転可能支持構造物を固定することにより、ランプ又はリフレクターは、所定位置に配置される。一般的なランプ取付具の説明のため、米国特許第６２３４６４４号及び第６５１１２０８号を、引用をもって本願の内容とする。
【００４２】
リフレクターそのものは当業者によく知られている様に、一般的には、鏡面反射又は乱反射仕上げとしても可い。リフレクターは、光の特定の波長を通し、所望する他の波長の光は反射させるダイクロイックガラスとすることも可能である。あるいは、リフレクターは半透明材製としてもよい。
【００４３】
本発明は、説明のために、前述の実施例について詳述したが、その様な詳細な説明は、上記目的のためだけであって、当該分野の専門家であれば、特許請求の範囲に記述した点を除いて、特許請求の範囲の発明の精神及び範囲から逸脱することなく、様々な変更をなし得るということは理解されるべきである。
【図面の簡単な説明】
【００４４】
添付の図面において、発明の望ましい実施例及び発明を実行する望ましい方法を図示している。
【図１】本発明の照明装置のブロック図である。
【図２】支持構造物へ取り付けられた第１実施例のモジュールの概略図である。
【図３】第１実施例の別視点からの概略図である。
【図４】支持構造物へ取り付けられた第２実施例のモジュールの概略図である。
【図５】第２実施例の別視点からの概略図である。
【図６Ａ】モジュールの複数の実施例を１列に並んで支持構造物に取り付けられた場合にそれを見下ろした概略図である。
【図６Ｂ】モジュールの複数の実施例を１列に並んで支持構造物に取り付けられた場合にそれを見下ろした概略図である。
【図６Ｃ】モジュールの複数の実施例を１列に並んで支持構造物に取り付けられた場合にそれを見下ろした概略図である。
【図７】本発明の別の実施例の概略図である。
【図８】図７に示された実施例の別視点からの概略図である。
【図９】本発明の別の実施例の概略図である。
【図１０】リフレクター部を有する２つの円形ハウジングの概略図である。
【図１１】図１０に示されたリフレクター部を有する円形ハウジングを見下ろした時の概略図である。
【図１２】電動式リフレクターモジュールの分解図である。
【図１３】電動式リフレクターモジュール及び配索の分解図である。
【図１４】電動式ミラー要素及び取付け箱の分解概略図である。
【図１５】組み立てられた電動式ミラーモジュールの概略図である。
【図１６】本発明の照明装置の別の実施例のブロック図である。
【図１７ａ】光源及び複数のリフレクターを具えたハウジングの概略図である。
【図１７ｂ】光源及び複数のリフレクターを具えたハウジングの概略図である。
【図１７ｃ】光源及び複数のリフレクターを具えたハウジングの概略図である。
【図１８】本発明のモジュールの異なった実施例の図である。
【図１９】本発明のモジュールの異なった実施例の図である。
【図２０】本発明のモジュールの異なった実施例の図である。
【図２１】本発明のモジュールの異なった実施例の図である。
【図２２】本発明のモジュールの異なった実施例の図である。
【図２３】本発明のモジュールの異なった実施例の図である。
【図２４】本発明のモジュールの異なった実施例の図である。
【図２５】本発明のモジュールの異なった実施例の図である。
【図２６】本発明のモジュールの異なった実施例の図である。
【図２７】本発明のモジュールの異なった実施例の図である。
【図２８】本発明のモジュールの異なった実施例の図である。
【図２９】本発明のモジュールの異なった実施例の図である。
【図３０】ランプを具え異なる高さの３つの円形ハウジングの斜視図である。
【図３１】ランプを具え異なる高さの３つの円形ハウジングの正面図である。
【図３２】ランプを具え異なる高さの３つの円形ハウジングの平面図である。
【図３３】４つのランプ及び４つのリフレクターを有する単一円形ハウジングの斜視図である。
【図３４】４つのランプ及び４つのリフレクターを有する単一円形ハウジングの正面図である。
【図３５】４つのランプ及び４つのリフレクターを有する単一円形ハウジングの平面図である。
【図３６】ランプを有し、３つの調整可能なリフレクターを有する単一リフレクター部を具えた様々な高さの３つの円形ハウジングの斜視図である。
【図３７】ランプを有し、３つの調整可能なリフレクターを有する単一リフレクター部を具えた様々な高さの３つの円形ハウジングの正面図である。
【図３８】ランプを有し、３つの調整可能なリフレクターを有する単一リフレクター部を具えた様々な高さの３つの円形ハウジングの平面図である。
【図３９】夫々ランプ及び３つのリフレクターを有し、その中の１つのリフレクターは各ハウジングの上部に配置した、３つの円形ハウジングの斜視図である。
【図４０】夫々ランプ及び３つのリフレクターを有し、その中の１つのリフレクターは各ハウジングの上部に配置した、３つの円形ハウジングの正面図である。
【図４１】夫々ランプ及び３つのリフレクターを有し、その中の１つのリフレクターは各ハウジングの上部に配置した、３つの円形ハウジングの平面図である。
【図４２】ランプ及び３つの調整可能なリフレクターを有する単一の反射部を有し、各ハウジングの上部にリフレクターを配置した、様々な高さの３つの矩形ハウジングの斜視図である。
【図４３】ランプ及び３つの調整可能なリフレクターを有する単一の反射部を有し、各ハウジングの上部にリフレクターを配置した、様々な高さの３つの矩形ハウジングの正面図である。
【図４４】ランプ及び３つの調整可能なリフレクターを有する単一の反射部を有し、各ハウジングの上部にリフレクターを配置した、様々な高さの３つの矩形ハウジングの平面図である。
【図４５】ランプ及び内部リフレクターを具えたドラムの底面図である。
【図４６】ランプ及び内部リフレクターを具えたドラムの側面図である。
【図４７】内部発光管を具えたドラムの底面図である。
【図４８】内部発光管を具えたドラムの側面図である。
【図４９】外部発光管を具えたドラムの底面図である。
【図５０】外部発光管を具えたドラムの側面図である。
【図５１】１つの光源と２つのリフレクターを具えたランプの概略図である。
【図５２】２つの光源と３つのリフレクターを具えたランプの概略図である。
【図５３】２つの光源と４つのリフレクターを具えたランプの概略図である。
【図１】
2004335469.tif 000003
【図２】
2004335469.tif 000004
【図３】
2004335469.tif 000005
【図４】
2004335469.tif 000006
【図５】
2004335469.tif 000007
【図６Ａ】
2004335469.tif 000008
【図６Ｂ】
2004335469.tif 000009
【図６Ｃ】
2004335469.tif 000010
【図７】
2004335469.tif 000011
【図８】
2004335469.tif 000012
【図９】
2004335469.tif 000013
【図１０】
2004335469.tif 000014
【図１１】
2004335469.tif 000015
【図１２】
2004335469.tif 000016
【図１３】
2004335469.tif 000017
【図１４】
2004335469.tif 000018
【図１５】
2004335469.tif 000019
【図１６】
2004335469.tif 000020
【図１７ａ】
2004335469.tif 000021
【図１７ｂ】
2004335469.tif 000022
【図１７ｃ】
2004335469.tif 000023
【図１８】
2004335469.tif 000024
【図１９】
2004335469.tif 000025
【図２０】
2004335469.tif 000026
【図２１】
2004335469.tif 000027
【図２２】
2004335469.tif 000028
【図２３】
2004335469.tif 000029
【図２４】
2004335469.tif 000030
【図２５】
2004335469.tif 000031
【図２６】
2004335469.tif 000032
【図２７】
2004335469.tif 000033
【図２８】
2004335469.tif 000034
【図２９】
2004335469.tif 000035
【図３０】
2004335469.tif 000036
【図３１】
2004335469.tif 000037
【図３２】
2004335469.tif 000038
【図３３】
2004335469.tif 000039
【図３４】
2004335469.tif 000040
【図３５】
2004335469.tif 000041
【図３６】
2004335469.tif 000042
【図３７】
2004335469.tif 000043
【図３８】
2004335469.tif 000044
【図３９】
2004335469.tif 000045
【図４０】
2004335469.tif 000046
【図４１】
2004335469.tif 000047
【図４２】
2004335469.tif 000048
【図４３】
2004335469.tif 000049
【図４４】
2004335469.tif 000050
【図４５】
2004335469.tif 000051
【図４６】
2004335469.tif 000052
【図４７】
2004335469.tif 000053
【図４８】
2004335469.tif 000054
【図４９】
2004335469.tif 000055
【図５０】
2004335469.tif 000056
【図５１】
2004335469.tif 000057
【図５２】
2004335469.tif 000058
【図５３】
2004335469.tif 000059